Podtech/llm-jp-corpus-v4-ja_patent huggingface dataset:
(57)【要約】      （修正有）【課題】電子レンジで加熱をおこなっても、取はずしが容易な陶磁器製容器用のプラスチックの蓋を提供する。【解決手段】プラスチックの蓋がついた、電子レンジで使用可能な陶磁器製や陶器製の食器の渕に溝を１つ以上刻設し、その溝にプラスチックの蓋の止め具を合わせて取り付けを行うことにより、プラスチックの蓋の止め具と食器の密着部分を無くす箇所ができ、電子レンジの加熱後、楽にプラスチックの蓋を取ることができる。又、プラスチックの蓋の止め具と食器の密着部分が多い箇所にプラスチックの止め具を合わせ取り付けることにより、これまでの保存食器としての機能も損なうことがない。食器の縁に１つ以上刻設を行う際、プラスチックの蓋にある止め具部分のサイズや形を考え、刻設部分は密着させないように成形を行う。他の部分は逆に、密着の割合を強めプラスチックの蓋が、電子レンジで使用可能な陶磁器製や陶器製の食器と離れにくいように成形を行う。【選択図】図１
0003146478.tif 000002
【実用新案登録請求の範囲】
【請求項１】
陶磁器製や陶器製の食器の渕に、溝を少なくとも１つ以上刻設したことを特徴とした食器。
【考案の詳細な説明】
【技術分野】
【０００１】  本考案は、主としてプラスチックの蓋がついた、電子レンジで使用可能な陶磁器製や陶器製の食器の渕に溝を１つ以上刻設することにより、プラスチックの蓋の止め具と食器の密着部分を無くす箇所を作り、取り外しが困難だったプラスチックの蓋を取れやすくした食器に関する。
【背景技術】
【０００２】  従来、プラスチックの蓋がついた電子レンジで使用可能な陶磁器製や陶器製の食器の中に食材を入れ電子レンジで加熱した場合、プラスチックの蓋の止め具と電子レンジで使用可能な陶磁器製や陶器製の食器の密着部分が強いため、プラスチックの蓋を取り外す際、困難だった。特に、電子レンジで加熱した場合、食器も食材と同じように熱くなっているため、プラスチックの蓋の取り外しが、更に困難だった。そのため、全体的にプラスチックの蓋の止め具と電子レンジで使用可能な陶磁器製や陶器製の食器との密着部分を少なくした場合、プラスチックの蓋の止め具と、電子レンジで使用可能な陶磁器製や陶器製の食器との密着が弱くなり、止め具の機能が低下した。
【考案の開示】
【考案が解決しようとする課題】
【０００３】  従来のプラスチックの蓋がついた電子レンジで使用可能な陶磁器製や陶器製の食器は、プラスチックの蓋の止め具と食器の密着部分が強いため、プラスチックの蓋を取り外す際、困難だった。特に、電子レンジで加熱した場合、食器本体も熱くなっているために、プラスチックの蓋を取り外す際、食器本体も持ち辛く、取り外しが更に困難だった。
【課題を解決するための手段】
【０００４】  本考案は、電子レンジで使用可能な陶磁器製や陶器製の食器の渕に溝を１つ以上刻設することにより、プラスチックの蓋の止め具と食器の密着部分を無くす箇所ができ、電子レンジ使用時は、その溝を１つ以上刻設部分に、プラスチックの蓋の止め具を合わせて取り付けを行い、電子レンジで加熱を行うことにより、取り外しが困難だったプラスチックの蓋を簡単に取り外しが出来るようにした食器。
【考案の効果】
【０００５】  プラスチックの蓋がついた、電子レンジで使用可能な陶磁器製や陶器製の食器の渕に溝を１つ以上刻設し、その溝にプラスチックの蓋の止め具を合わせて取り付けを行うことにより、プラスチックの蓋の止め具と食器の密着部分を無くす箇所ができ、電子レンジの加熱後、楽にプラスチックの蓋を取ることができた。又、プラスチックの蓋の止め具と食器の密着部分が多い箇所にプラスチックの止め具を合わせ取り付けることにより、これまでの保存食器としての機能も損なうことがなくなった。
【考案を実施するための最良の形態】
【０００６】  本実施例で、電子レンジで使用可能な陶磁器製や陶器製の食器の渕に１つ以上刻設を行う際、プラスチックの蓋にある止め具部分のサイズや形を考え、刻設部分は密着させないように成形を行う。他の部分は逆に、密着の割合を強めプラスチックの蓋が、電子レンジで使用可能な陶磁器製や陶器製の食器と離れにくいように成形を行う。結果、溝を１つ以上刻設部分に、プラスチックの蓋の止め具を合わせて取り付けを行い電子レンジで加熱した場合、プラスチックの蓋が取れやすくして、その他では、プラスチックの止め具の機能をいかした通常の状態とすることができた。【０００７】  本考案に係る一実施例を、図１と図２を参照して以下説明する。
【実施例】
【０００８】  本実施例では、図１に図示する如く、電子レンジ可能な陶磁器製や陶器製の食器１、２の渕部分１ａ、２ａに、図２のプラスチックの蓋３の止め具部分３ａが密着しないように溝を１つ以上刻設した図である。
【産業上の利用分野】
本考案に係る食器は、電子レンジ可能な陶磁器製、陶器製の食器に取り付けるプラスチックの蓋が加熱後に、取り外しが便利だけでなく、吊り下げ型の植木鉢に使用することにより、安定感が得られる効果もできる。
【図面の簡単な説明】
【０００９】
【図１】本考案に係る一実施例の食器の展開図である。
【図２】本考案に係る一実施例のプラスチック蓋の展開図である。
【符号の説明】
【００１０】１    円形食器の上から見た図と側面図
１ａ  円形食器に刻設した溝の図
２    角型食器の上から見た図と側面図
２ａ  角型食器に刻設した溝の図
３    取り付けを行う円形の場合のレンジ可能なプラスチックの上から見た図と側面図
３ａ  プラスチック蓋の止め具の図
【図１】
0003146478.tif 000003
【図２】
0003146478.tif 000004
(57)【要約】【課題】  被清掃面の状況に合わせて、きめ細かく対応出来、持ち運びにおいても容易に運ぶ事の出来るブラシを提供する。【解決手段】  扇状ブラシ８個をホルダリングに取り付ける事により、清掃ポリッシャー用のリング状ブラシを形成し、粒度の異なる扇状ブラシを複数個づつ作成する事で、任意の組み合わせを可能にした。【選択図】図２
0003146473.tif 000002
【実用新案登録請求の範囲】
【請求項１】
清掃作業現場において、粒度の異なるブラシブロックを任意に組合せ、被清掃面の状況に合わせ最適なリング状ブラシを構成する事の出来る、清掃ポリッシャー用のブラシ。
【考案の詳細な説明】
【技術分野】
【０００１】  本考案は、床面等の清掃時に使用されるポリッシャーに取り付けて研磨、艶出しをするための、ブラシに関する。
【背景技術】
【０００２】  従来、床面等の清掃時ポリッシャーに取り付けて使用されるブラシにおいては、同一粒度の研磨剤付き糸を、リング状に加工されたベース板に直接植え付けていた。
研磨剤のついていない同一太さ（番手）の糸のみを、植え付けたものもあるが、研磨剤付きを使用し始めると、研磨剤の付いていないブラシは使用されなくなる傾向にある。
床面等の清掃作業においては、被清掃面の汚れ具合、段差やタイルの溝等により、ブラシの粒度（番手）を選択交換して、同一個所を二度、三度と清掃していた。
このためリング状ブラシの種類を出来るだけ多く現場へ持参し、作業現場で何度も交換する事になる。
また、リング状ブラシは、直径４００ｍｍ位、糸の長さを含めた厚さは６０ｍｍ位あり、これを数多く持ち運ぶ場合、容積が大きくなり、車への積み下ろしや、作業現場まで運ぶのに苦労を要する。
また、清掃個所は１階、２階等複数になる事が普通で、その都度これを運ばなければならない。
【考案の開示】
【考案が解決しようとする課題】
【０００３】  本考案では、被清掃面の状況に合わせて、きめ細かく対応出来る様、任意の粒度を組み合わせて一つのリング状ブラシを構成し、清掃面の変化にブラシを交換する事なく作業を続けられる様にすると共に、持ち運びにおいても容易に運ぶ事の出来るブラシを提供する事を目的とした。
【課題を解決するための手段】
【０００４】  本考案においては、リング状ブラシを放射状に切り代１５ｍｍにて８分割した扇状ブラシ８個と、これをリング状に配置固定するホルダリングで１ケのリング状ブラシとし、扇状ブラシは、粒度の異なる糸を植え付けたもの４種類各４個で構成した。
【考案実施の形態】
【０００５】  本考案は、床面等の清掃時に使用されるポリッシャーに取り付けて研磨、艶出しをするための、作業用ブラシとして使用する。
【実施例】
【０００６】  図１において、本考案では角度４５度の扇状ブロック（１ａ）はリングを放射状に８分割し各個の隙間が１５ｍｍとなる扇形となっている。
図２及び図３において、糸（２）は一部省略している。
扇状ブロック（１ａ）には直径８ｍｍ位の束にされた糸（２）が、一定のパターンで、約７０箇所植え込まれている。
扇状ブロック（１ａ）の糸（２）が植え込まれた面と反対側の面には、取り付け用の爪（１ｂ）と脱着溝（１ｃ）及び固定溝（１ｄ）が設けられている。脱着溝（１ｃ）と固定溝（１ｄ）は繋がって掘り込まれている。
本考案において扇状ブロック（１ａ）と糸（２）とで一体とし、扇状ブラシ（３）とした。
ホルダリング（４）はリング状の円板で、片面にガイド（５ａ）が同一円周上等間隔に８個所固着されている。
ガイド（５ａ）にはフック（５ｂ）が設けられている。
扇状ブラシ（３）８個を、ホルダリング（４）の８箇所あるガイド（５ａ）部にそれぞれ取り付ける事により、清掃ポリッシャーに取り付けられるリング状ブラシを形成する。
図４及び図５において、扇状ブラシ（３）をホルダリング（４）に取り付ける手順を説明する図で糸（２）は省略してある。
扇状ブラシ（３）の脱着溝（１ｃ）部をガイド（５ａ）に嵌め込み、扇状ブラシ（３）を外周方向へスライドさせて扇状ブロック（１ａ）の爪（１ｂ）をフック（５ｂ）に挿入させる。
扇状ブラシ（３）を図５における左方向へ押し、固定溝（１ｄ）をフック（５ｂ）に嵌め込む。
これにより８個の扇状ブラシ（３）が同一円周上に等間隔で配置されホルダリング（４）と共にリング状ブラシを形成する。
取り外す場合は上記と逆の手順で行えば良いので、簡単に脱着出来る。
このため、扇状ブラシ（３）を粒度の異なる糸で、必要とされる種類分をそれぞれ複数個作成しておけば、任意の組み合わせにより、いろいろなパターンのリング状ブラシを、作業現場において簡単に形成する事が可能となる。
現在ブラシ直径の異なる清掃ポリッシャーが数種類提供されているため、本考案においては分割数をそれぞれの直径に合わせて最適な分割数に設定する事で、それぞれの清掃ポリッシャーに対応するリング状ブラシを提供する事が出来る。
【考案の効果】
【０００７】  本考案は前記の様に、扇状ブラシ８個でリング状ブラシを形成するため、研磨剤の粒度の異なる扇状ブラシを数種類、各最低４個準備することにより、組み合わせを変える事で、いろいろな組み合わせの異粒度混成リング状ブラシを現場で構成する事が可能となり、現場で被清掃面の状況に合わせてきめ細かく対応する事ができる。
このため、タイルの目地などは粒度の細かい扇状ブラシ部で、表面の頑固な汚れには、粒度の荒い扇状ブラシ部により、リング状ブラシを交換する事なく一度の作業で完了するため、作業効率が飛躍的に向上する。
また、粒度の違いにより糸自体の腰の強さが異なる事により、被清掃面に対する当たりの強さに強弱が生じ、清掃能力が向上する。
また、粒度だけでなく、糸の植え込みパターンの異なる扇状ブラシを作ることで、植え込みパターンの異なる扇状ブラシを組み合わせることも可能になる。
また本考案では、ホルダリング１個と粒度の異なる扇状ブラシをそれぞれ最低４個あれば良く、扇状ブラシはリングの１／８と小さいため、持ち運びが非常に楽になる。
【図面の簡単な説明】
【図１】本考案による扇状ブロックの正面図。
【図２】本考案による正面図。
【図３】本考案による側面断面図。
【図４】本考案によるブラシの取り付け手順の第一段階を説明する正面図。
【図５】本考案によるブラシの取り付け手順の第二段階を説明する正面図。
【符号の説明】
１ａ  扇状ブロック
１ｂ  爪
１ｃ  脱着溝
１ｄ  固定溝
２    糸
３    扇状ブラシ
４    ホルダリング
５ａ  ガイド
５ｂ  フック
【図１】
0003146473.tif 000003
【図２】
0003146473.tif 000004
【図３】
0003146473.tif 000005
【図４】
0003146473.tif 000006
【図５】
0003146473.tif 000007
【手続補正書】
【提出日】平成20年8月19日(2008.8.19)
【手続補正１】
【補正対象書類名】実用新案登録請求の範囲
【補正対象項目名】全文
【補正方法】変更
【補正の内容】
【実用新案登録請求の範囲】
【請求項１】
リング状ブラシの糸を植え込む土台を放射状に分割し扇状のブロックに、それぞれのブロック毎に、粒度の異なる糸を植え込んだ扇状ブラシブロックと、これを任意に組み合わせてリング状ブラシを形成するための、扇状ブラシブロックを簡単に脱着出来る様にしたリングプレートとで構成された、清掃ポリッシャー用のブラシ。
(57)【要約】      （修正有）【課題】スイッチング電源動作と、測定用光源の白熱ランプ点灯開始を同期させ、白熱ランプ点灯開始時のラッシュカレントによる測定誤差発生を小さくするガスセンサーを提供する。【解決手段】ａはスイッチング電源のＯＮ，ＯＦＦを制御するスイッチング素子、ｂはインダクタンス、ｆは、白熱ランプ負荷、ｊは、白熱ランプのＯＮ、ＯＦＦ制御するスイッチング素子、ｇはｆとｇの同期を取る信号を生成するフリップフロップ。フリップフロップの動作は、周期的に測定指令を出すタイマーｈの出力により、白熱ランプｆの点滅を制御する。ｆは、ａのＯＮの状態時のみ、点灯開始、ＯＦＦからＯＮとなり、点灯時のラッシュカレントを確保し測定が正確に行なわれる。【選択図】図１
0003146476.tif 000002
【実用新案登録請求の範囲】
【請求項１】
白熱ランプを光源とする赤外線方式ガス濃度値測定センサーにおいて、
電源としてスイッチング電源を用い、
該スイッチング電源のスイッチング素子が、ＯＦＦからＯＮに移行するタイミングに、
白熱ランプを点灯開始させる事を特徴とした、
赤外線方式ガス濃度値測定センサー。
【請求項２】
白熱ランプを光源とする赤外線方式ガス濃度値測定センサーにおいて、
電源としてスイッチング電源を用い、
該スイッチング電源のスイッチング素子が、ＯＦＦからＯＮに移行するタイミングに、
白熱ランプを点灯開始させるために、Ｔタイプフリップフロップを用いた事を特徴とした
赤外線方式ガス濃度値測定センサー。
【考案の詳細な説明】
【技術分野】
【０００１】  白熱電球を光源とするガスセンサー
【背景技術】
【０００２】  ガスセンサーにおいて、赤外線方式（ＮＤＩＲ）では、光源に白熱ランプを用いる。光源の白熱ランプへの給電は、スイッチング電源を用いると、センサーの小型化、高効率化に有効である。一方、スイッチング電源は、ＯＮ−ＯＦＦ波形の合成であり、白熱ランプ特有の点灯開始時に定常電流の１０倍程度のラッシュカレントを要するため、スイッチング方式電源の採用に困難さを伴う。
【考案の開示】
【考案が解決しようとする課題】
【０００３】  スイッチング電源の従来の技術では、次の不具合が有る。
白熱ランプが点灯される瞬間、白熱ランプには、定常の１０倍のラッシュカレントが発生する。１０倍のラッシュカレントが発生する。光源投入タイミングがスイッチング電源ＯＦＦのタイミングと合致した場合、ラッシュカレントの供給が不十分となり、測  ノイズとなる。この現象により、測定値のバラツキが大きくなって来る。
【課題を解決するための手段】
【０００４】スイッチング電源のＯＮタイミングに同期して、白熱ランプ負荷を投入する。
【考案の効果】
【０００５】  スイッチング周期のＯＮタイミングに同期して、白熱ランプ負荷を投入すれば、白熱ランプがラッシュカレントを必要とする時に、十分なラッシュカレントの供給を可能とする。
【考案を実施するための最良の形態】
【０００６】  スイッチングレギュレーターは、負荷への給電モードに入る時に最大電流が供給可能である。このタイミングにランプ負荷を接続する
【実施例】
【０００７】  以下、添付図面に従い、一実施例を説明する。ａはスイッチング電源のＯＮ，ＯＦＦを制御するスイッチング素子、ｂはインダクタンス、ｆは、白熱ランプ負荷、ｊは、白熱ランプのＯＮ、ＯＦＦ制御するスイッチング素子、ｇはｆとｇの同期を取る信号を生成するフリップフロップ。フリップフロップの動作は、周期的に測定指令を出すタイマーｈの出力により、白熱ランプｆの点滅を制御する。ｆは、ａのＯＮの状態時のみ、点灯開始、ＯＦＦからＯＮとなり、点灯時のラッシュカレントを確保し測定が正確に行なわれる。
【図面の簡単な説明】
【０００８】
【図１】本考案の、スイッチング電源動作に白熱ランプ点灯開始を同期させる方式の実施例を示す回路図である。
【符号の説明】
【０００９】ａ  スイッチング電源制御スイッチング素子
ｂ  インダクタンス
ｆ  白熱ランプ
ｇ  フリップフロップ
ｈ  タイマー
ｊ  白熱ランプ制御スイッチング素子
【図１】
0003146476.tif 000003
(57)【要約】      （修正有）【課題】車椅子を利用する歩行困難者が安全に墓参できるようにした車椅子利用の歩行困難者墓参支援スロープを提供する。【解決手段】車椅子利用の歩行困難者が１人の支援者で安全に墓参ができるように、墓参路１と墓地床２との間にある階段をなくし、スロ−プ４とすれば、支援者が最少の１人で、車椅子を利用する歩行困難者の安全な墓参に役立つ。【選択図】図１
0003146469.tif 000002
【実用新案登録請求の範囲】
【請求項１】
車椅子を利用する歩行困難者の墓参を支援するため、墓参路から墓地床までの間にある段差に、スロ−プを設けることを特徴とする、車椅子利用の歩行困難者墓参支援スロ−プ。
【考案の詳細な説明】
【技術分野】
【０００１】  本考案は、車椅子を利用する歩行困難者による墓参に関するものである。
【背景技術】
【０００２】  車椅子を利用する歩行困難者が墓参する場合は、複数の墓参支援者が同行しないと、安全に墓参ができなかった。
【考案の開示】
【考案が解決しようとする課題】
【０００３】  車椅子を利用する歩行困難者が墓参する場合、今までに設計された墓地では、墓参路と墓地床との段差に、複数の階段が設けられているため、数人の墓参支援者により、車椅子を墓参路から墓地床まで持ち上げる必要があり、自分の意志で自由に墓参ができなかった。
【課題を解決するための手段】
【０００４】  本考案は、車椅子を利用する歩行困難者の墓参を支援するため、墓参路から墓地床までの間にある段差に、階段ではなくスロ−プを設けることにより問題を解決している。【０００５】  本考案の実施態様は、以下の通りである。
前記スロ−プを設ける方法は、スロ−プが鉄筋コンクリ−トか、石材または、各種板材によって設けることにより解決している。
【考案の効果】
【０００６】  本考案の、車椅子を利用する歩行困難者用の墓参支援スロ−プを設置すれば、車椅子を利用する歩行困難者が、一人の支援で自由に出向いて、安全に墓参することに役立つ。
【考案を実施するための最良の形態】
【０００７】  墓参路と墓地床との段差に、鉄筋コンクリ−トか、石材または各種板材にてスロ−プを作成し設置する。
【実施例】
【０００８】  以下、添付図面に従って一実施例を説明する、１は墓参路を示し、２は墓地床を示し、３は通常の形態である墓参路から墓地床まで上がる階段を示し、４は墓参路から墓地床まで上がるためのスロ−プを示す。【０００９】  本考案のスロ−プは、車椅子を利用する歩行困難者が、１人の支援者で安全に墓参ができる。
【図面の簡単な説明】
【００１０】
【図１】  墓地全景図である。
【符号の説明】
【００１１】  １  墓参路
２  墓地床
３  階段
４  スロ−プ
【図１】
0003146469.tif 000003
(57)【要約】      （修正有）【課題】吊足場が安全でかつ迅速に組み立てられるフック付クランプを提供する。【解決手段】単管をフック付クランプに固定する。こうすることで単管が落下することがなくなる。またフックの部分を左右のチェーンの決めた長さの位置に引っ掛けることで、作業員が下降することなく単管がセットされ、セットされた単管は容易に目的地まで下降させことができる。単管を落とさず、チェーンの長さの一致も容易にできることで、足場板も水平位置にセットされる。【選択図】図１
0003146467.tif 000002
【実用新案登録請求の範囲】
【請求項１】
橋・マンションの非常口階段・体育館の天井・高速道路の陸橋等、工事をするにあたり、地上から足場が組めない場合は吊足場方法で行っているが、この方法が安全で、かつ迅速にできる吊足場専用のフック付クランプ。
【考案の詳細な説明】
【背景技術】
【０００１】  現在の吊足場は、輪にした左右のチェーンとチェーンの中に単管を通して、その単管と単管の上に足場板を載せる方法ですが、このチェーンの中に単管を通すには、チェーンを伝って作業員が下降し、上部より単管を受け取りチェーンとチェーンの中に単管を通す作業になります。しかしこれでは単管を落としてしまう危険性があり、実際事故も起きています。またこの単管と単管の上に足場板を載せて作業をするために、左右のチェーンの長さを一致させて足場板の水平を保たなくてはなりません。これらの一連の高所作業は大変危険を伴う為、熟練工が従事しています。
【考案が解決するための手段】
【０００２】  そこで始めから単管をフック付クランプに固定する。こうすることで単管が落下することがなくなる。またフックの部分を左右のチェーンの決めた長さの位置に引っ掛けることで、作業員が下降することなく単管がセットされ、セットされた単管は容易に目的地まで下降させことができる。単管を落とさず、チェーンの長さの一致も容易にできることで、足場板も水平位置にセットされる。
【考案を実施するための最良の形態】
【０００３】  標準のクランプにフック１を溶接付けしたことで、フック付クランプ１０に単管を固定し、フックをチェーンに引っ掛けることで目的地まで下降させることができる、フック付クランプ１０。
【図面の簡単な説明】
【０００４】
【図１】  本考案にかかるフック付クランプの全体図。
【図２】  本考案にかかるフック付クランプの分離図。
【符号の説明】
【０００５】  フック付クランプ        １０
フック部分                １
単管が通る空洞            ２
単管を〆るボルト          ３
単管を〆るナット          ４
【図１】
0003146467.tif 000003
【図２】
0003146467.tif 000004
【手続補正書】
【提出日】平成20年7月22日(2008.7.22)
【手続補正１】
【補正対象書類名】実用新案登録請求の範囲
【補正対象項目名】全文
【補正方法】変更
【補正の内容】
【実用新案登録請求の範囲】
【請求項１】
Ｌ型金具の一面の四隅に、クランプに取り付けるための４つの穴を開け、もう一面に３連のチェーンの先にフックの付いたものを通すための１つの穴を開けたものを、既成のクランプに取り付けた、吊足場専用のフック付クランプ。
【手続補正２】
【補正対象書類名】明細書
【補正対象項目名】０００１
【補正方法】変更
【補正の内容】
【０００１】  橋・マンションの非常口階段・体育館の天井・高速道路の陸橋等を工事するにあたり、地上から足場が組めない場合は吊足場方法で行っているが、現在の吊足場は、輪にした左右のチェーンとチェーンの間に単管を通して、その単管と単管の上に足場板をのせる方法ですが、このチェーンの中に単管を通すには、チェーンを伝わって作業員が下降し、上部より単管を受け取りチェーンとチェーンの中に単管を通す作業となります。しかしこれでは単管を落としてしまう危険性があり、実際事故もおきています。又、この単管と単管の上に足場板をのせて作業するために、左右のチェーンの長さを一致させて足場板の水平を保たなくてはなりません。これらの一連の高所作業は大変危険を伴うため、熟練工が従事しています。
【手続補正３】
【補正対象書類名】明細書
【補正対象項目名】０００３
【補正方法】変更
【補正の内容】
【０００３】  四隅に丸み加工を施したＬ型金具の一面に、既成クランプに取り付けるための４つの穴５を開け、既成クランプの側面にピット止め６する。またＬ型金具のもう一面に穴７を開け、一握りできる長さの３連チェーン８の先にフック１の付いたものを通す。この３連チェーンのフックを、上部より降りてきたチェーンに引っ掛けることで目的地まで安全に下降させることができる、フック付クランプ２０。
【手続補正４】
【補正対象書類名】明細書
【補正対象項目名】０００５
【補正方法】変更
【補正の内容】
【０００５】フック付クランプ                  ２０
フック                              １
単管がとおる空洞                    ２
単管を〆るボルト                    ３
単管を〆るナット                    ４
４つの穴の開いたＬ型金具の一面      ５
４つのピット止め                    ６
１つ穴の開いたＬ型金具の一面        ７
３連チェーン                        ８
【手続補正５】
【補正対象書類名】図面
【補正対象項目名】全図
【補正方法】変更
【補正の内容】
【図１】
0003146467.tif 000005
【図２】
0003146467.tif 000006
(57)【要約】      （修正有）【課題】反射板が前後左右に揺れることで後続車への注意換気力を高めた矩形及びねじれ反射板付き振り子を提供する。【解決手段】矩形ねじれ板６は、正面を矩形に曲げ、さらにねじった形状にプラスチック樹脂で成型する。その表面に反射テープを貼付ける等で形成した反射板を二本のワイヤ４でつり、振子を形成する。これらをケース７に収納し、反射面側には透明なプラスチックケース５で覆う。ケース７を自転車等の移動体に固定具８により取り付け、自転車等の動きで反射面が切り替り、動力なしで夜間後続車両に注意をうながす。【選択図】図２
0003146466.tif 000002
【実用新案登録請求の範囲】
【請求項１】
板状の金属またはプラスチック樹種で、表面をたにおりに曲げ、曲げた二つの表面に反射テープあるいは反射塗料を印刷した反射板を、二本のワイヤーでつり前後に揺れる振り子を形成したもので、前後に揺れることにより二つの反射面が切り替わって見えるものである。
【請求項２】
板状の金属またはプラスチック樹種で、表面を上と下で少量のねじれた形状に成型し、表面に反射テープあるいは反射塗料を印刷した反射板を、二本のワイヤーでつり左右にゆれる振り子を形成したもので、前後に揺れることにより二つの反射面の長さが替わって見えるものである。
【請求項３】
反射板を二本のワイヤーでつり前後左右に揺れる振り子に永久磁石を取り付け揺れを強制したものである。
【考案の詳細な説明】
【図１】
0003146466.tif 000003
【図２】
0003146466.tif 000004
【手続補正書】
【提出日】平成20年4月8日(2008.4.8)
【手続補正１】
【補正対象書類名】実用新案登録請求の範囲
【補正対象項目名】全文
【補正方法】変更
【補正の内容】
【実用新案登録請求の範囲】
【請求項１】
板状の金属またはプラスチック樹種で、表面をたにおりに曲げた二つの表面に反射テープあるいは反射塗料を印刷した反射板を、二本のワイヤーでつり前後に揺れる振り子を形成したもので、前後に揺れることにより二つの反射面が切り替わって見えることを特徴とする反射板付き振り子。
【請求項２】
板状の金属またはプラスチック樹種で、表面を上と下で少量のねじれた形状に成型し、表面に反射テープあるいは反射塗料を印刷した反射板を、二本のワイヤーでつり左右にゆれる振り子を形成したもので、前後に揺れることにより二つの反射面の長さが替わって見える反射板付き振り子。
【請求項３】
振り子に永久磁石を取り付け吸引または反発にて揺れを強制したことを特徴とする請求項１または２記載の反射板付き振り子。
【手続補正２】
【補正対象書類名】明細書
【補正対象項目名】全文
【補正方法】変更
【補正の内容】
【考案の詳細な説明】
【考案の詳細な説明】
【考案が解決しようとする課題】
【０００１】  自動車の後部に貼られた反射テープは、平面的でほとんど動かないため、後続車のドライバーへ注意をうながすのにインパクトが少ない。
【課題を解決するための手段】
【０００２】  本案は板状の金属またはプラスチック樹種で、正面を矩形に曲げさらにねじった形状に成型した矩形及びねじれ板６の表面に、反射テープあるいは反射塗料を塗装または印刷した反射材１で構成し、二本のワイヤー４でつり前後左右に自由にふれる振り子を形成し、さらに必要によっては振り子の下側に永久磁石３とバランをとるためのおもり２を付けることにより揺れを規制する矩形及びねじれ形反射板付き振り子を構成する。
【考案の効果】
【０００３】  矩形及びねじれ形反射板付き振り子をケース７に収納し、反射面側には透明のプラスチックケース５で覆うったもので、両面テープ・接着剤またはマグネット８で、取り付けられた自動車や自転車あるいは歩行者の自然な動きで、反射板が揺れることにより谷折にした二つの面は前後の揺れで上下の反射面が切り替わって見え、左右の揺れは上の面と下の面のねじれにより反射面の面積が変化して見えることにより、後続の運転者により強い存在認識を与え注意を促すものである。
【実施例】
【０００４】  本製品は自動車や自転車またはカバン・ランニングたすきベルトに、マグネット・マジックテープまたは直接取付けることにより、本体の動きを２本のワイヤーで反射板の付いた振り子が増幅され振れることによって、表面の矩形と面のねじれとの形状にて、反射板が揺れることにより反射面が切り変わったり反射光の長さが変化して見える。
動力を必要とせず夜間後続車両に注意をうながすと同時に、動きを知らせることが可能となる。
【図面の簡単な説明】
【０００５】
【図１】は平面の断面図である。
【図２】は側面の断面図である。
【符号の説明】
【０００６】１・・・反射材
２・・・おもり
３・・・永久磁石
４・・・ワイヤー
５・・・透明ケース
６・・・矩形及びねじれ板
７・・・ケース
８・・・固定具
【手続補正書】
【提出日】平成20年7月14日(2008.7.14)
【手続補正１】
【補正対象書類名】明細書
【補正対象項目名】０００４
【補正方法】変更
【補正の内容】
【０００４】  本製品は自動車や自転車またはカバン・ランニングたすきベルトに、マグネット・両面テープまたは直接取付けることにより、本体の動きを２本のワイヤーで反射板の付いた振り子が増幅され振れることによって、表面の矩形と面のねじれとの形状にて、反射板が揺れることにより反射面が切り変わったり、反射光の長さが変化して見える。
動力を必要とせず夜間後続車両に注意をうながすと同時に、動きを知らせることが可能となる。
(57)【要約】      （修正有）【課題】美観を損なうことなく、且つ壁への付け外しが容易に行えるフレームを提供する。【解決手段】壁に設置したフックに、輪状になった懸架用紐或いはチェーン５を、フレーム１に邪魔されることなく、フレーム上縁外から掛けたうえで、本考案をずり上げることにより隠し、所定の位置に定置させることができるよう、輪状になった懸架用紐或いはチェーン５を伸張した状態で、フレーム下縁部に設けた懸架用フック３に掛ける。懸架用フック３を複数箇所に用意し、利用する懸架用フックを換えることにより、本考案を懸架する定位置の微調整を行う。【選択図】図１
0003146486.tif 000002
【実用新案登録請求の範囲】
【請求項１】
二つ以上の懸架用リング、及び一つ以上の懸架用フックを具備したフレーム。
【考案の詳細な説明】
【技術分野】
【０００１】壁に掛ける額、ないし枠、或いはフレームに関するものである。
【背景技術】
【０００２】フレームを壁に設置されたフックへ掛けようとする場合、予め、フレームを定位させる位置に合わせて、懸架用紐或いはチェーンの長さを決定し、定尺にしたのちにフックへ掛けている。
【考案の開示】
【考案が解決しようとする課題】
【０００３】壁にフレームを吊るす場合、美観上、壁のフックをフレームの裏へ隠れるように吊り下げるには、予め、吊るすための紐或いはチェーンの長さを決定したのちに、壁のフックに掛けようとするが、この際フレームと壁とのすき間の幅が、手を入れるには充分に得られない場合があり、吊るすための紐或いはチェーンをフックに掛けると云う行為に於いて難儀をした。
【課題を解決するための手段】
【０００４】壁に在るフックが、フレームの正面より見て、フレームの上縁部よりも上に現れている状態で、フレームの裏側左右の懸架用リングを通り、輪状となった吊るすための紐或いはチェーンをフックに掛ける。次に、懸架用リング間にある、輪状になった紐或いはチェーンを引き下げつつ、フレームでフックが正面より見えなくなる位置までフレームを押し上げ、紐或いはチェーンをたるみのない状態で、フレームの裏側下縁部に設けた懸架用フックに引掛ける。
【考案の効果】
【０００５】正面から見て、吊るすための紐或いはチェーン、及び壁に設置したフックが、フレームの外周部に見えることが無くなり、美観を損なうことがなくなり、且つ、フレームを壁に取り付けたり外したりと云う行為が容易に行われるようになる。
【考案を実施するための最良の形態】
【０００６】フレーム１の大きさ及び重量にも依るが、人が片手で持つことができる程度のものである場合、フレームの裏側における左右それぞれの側縁部に、吊り下げ紐或いはチェーン５を貫通させる懸架用リング２を二箇所以上配置し、壁に設置したフック４をフレームで隠すことができる位置を維持することができるような懸架用フック３を、フレームの裏側下縁部或いは、懸架用リングよりも下方の側縁部に一箇所以上配置する。
【実施例】
【０００７】希望するフレーム１の設置位置を決め、フック４を、フレーム１あるいは裏蓋６により隠れる位置になるよう、壁７に取り付ける。吊り下げ用紐或いはチェーン５を、フレーム裏面の左右に設けた、２箇所以上の懸架用リング２貫通させ、紐、或いはチェーンが輪を構成するようにつなぐ。フレームに正対した状態で、吊り下げ用紐或いはチェーン５を、フレーム上縁部の上から壁のフック４へ掛ける。【０００８】片手でフレームを支えながら、２箇所以上の懸架用リング２の間に張られている、輪状になった吊り下げ用紐或いはチェーン５を、フレーム１と壁７との間に差し入れたもう一方の手で引き下げる。同時に、フレームをずり上げながら、フック４の隠れる所定の位置まで来たところで、引き下げてきた輪状の紐或いはチェーン５を、たるみのない状態で、懸架用フック３に掛ける。フレームが所定の位置に定位するように、輪状の紐或いはチェーン５の長さを調節するか、フレーム裏面に幾つかの懸架用フック３が用意されている場合には、適当な一つを選択し掛ける。
【図面の簡単な説明】
【０００９】
【図１】本考案を定位置に設置し、裏面から見た図
【図２】本考案を定位置に設置し、側面から見たａ−ａ’断面図
【符号の説明】
【００１０】１  フレーム
２  懸架用リング
３  懸架用フック
４  壁に取り付けたフック
５  紐或いはチェーン
６  裏蓋
７  壁
【図１】
0003146486.tif 000003
【図２】
0003146486.tif 000004
(57)【要約】      （修正有）【課題】２度のプッシュ動作で登録されている１００件の氏名と電話番号から検索すると同時に発信が可能になる電話機を提供する。【解決手段】通常のプッシュボタンの他に液晶画面を設置し、その液晶画面の上又は下側と左又は右側に、それぞれ１０個のプッシュボタンを配置して、上又は下側の行名を記した１連のプッシュボタンからひとつを選んで押すと電話モードとなり、その押した行名に対応して登録されている氏名と電話番号が最大限１０件即ち１０行分が液晶画面に表示され、そのひとつの名前を選び、左又は右側の対応した行番号のプッシュボタンを押すと、その行の表示を残して他の行の表示は消え、通話のための発信を可能な状態にして、受話器を上げることにより発信が開始され、選んだ相手との通話が可能になるように設定された機能をマイコンにより保持することで解決するが、タッチパネル式でも良い。【選択図】図１
0003146482.tif 000002
【実用新案登録請求の範囲】
【請求項１】
通常のプッシュボタンの他に液晶画面を設置し、その液晶画面の上又は下側と左又は右側に、それぞれ１０個のプッシュボタンを配置した電話機で、上又は下側のプシュボタンには行名を左又は右側のプシュボタンには行番号を記し、上又は下側の１連のプッシュボタンからひとつを選んで押すことにより電話モードとなり、その押した行名に対応して登録されている氏名と電話番号が最大限１０件即ち１０行分が液晶画面に表示され、そのひとつの名前を選び、左又は右側の対応した行番号のプッシュボタンを押すと、その行の表示を残して他の行の表示は消え、通話のための発信を可能な状態にして、受話器を上げることにより発信が開始され、選んだ相手との通話が可能になるように設定された機能をマイコンにより保持することで、たった２度のプッシュ動作で、登録されている１００件もの氏名と電話番号から検索すると同時に発信を可能にする機能と特徴を備えた電話機。
【考案の詳細な説明】
【技術分野】
【０００１】
本考案は、たった２度のプッシュ動作で、登録されている１００件もの氏名と電話番号から検索すると同時に発信を可能にし、電話をかける手順を究極的に短縮することを特徴とする、電話機に関するものである。
【背景技術】
【０００２】
従来は、プッシュボタンを多数設置し短縮機能を備えた電話機であっても、登録されている１００件もの中から検索して発信するには幾度となくプッシュ動作をする必要があり、
これは使用上まだまだ煩雑さが残っている。
【考案の開示】
【考案が解決しようとする課題】
【０００３】
従来は、幾度となくプッシュ動作を繰り返す必要のあるものを、たった２度のプッシュ動作で登録されている１００件もの氏名と電話番号から検索すると同時に発信が可能になるようにするものである。
【課題を解決するための手段】
【０００４】
通常のプッシュボタンの他に液晶画面を設置し、その液晶画面の上又は下側と左又は右側に、それぞれ１０個のプッシュボタンを配置して、上又は下側のプッシュボタンには行名を左又は右側のプッシュボタンには行番号を記し、上又は下側の１連のプッシュボタンからひとつを選んで押すことにより電話モードとなり、その押した行名に対応して登録されている氏名と電話番号が最大限１０件即ち１０行分が液晶画面に表示され、そのひとつの名前を選び、左又は右側の対応した行番号のプッシュボタンを押すと、その行の表示を残して他の行の表示は消え、通話のための発信を可能な状態にして、受話器を上げることにより発信が開始され、選んだ相手との通話が可能になるように設定された機能をマイコンにより保持することで問題は解決するが、タッチパネル式でも良い。
【考案の効果】
【０００５】
本考案では、たった２度のプッシュ動作で、登録されている１００件もの記録から検索すると同時に発信が可能となり、その使用方法もいたって単純そのものであり、これ以上簡単にすることは出来ない究極の短縮検索と発信を可能にし、これから先、電話機の基本スタイルが変わる可能性がある。
【考案を実施するための最良の形態】
【０００６】
固定電話の親機を想定してのものであるが、、液晶画面の上側のプッシュボタンには行名を左側のプッシュボタンには行番号を記しておき、プッシュボタンの配置は作業図面の図１ように上側のプッシュボタンは横１列に、左側のプッシュボタンは奇数のものと偶数のものとは２列にずらして配置することで誤操作を防ぎより正確で迅速な使用が可能である。
【実施例】
【０００７】
前記の記述及び後記の図面の図１に基づいて実施される。
【図面の簡単な説明】
【０００８】
【図１】本考案のたった２度のプッシュ動作で短縮検索並びに発信を可能にするための実施例の作業図面である。
【符号の説明】
【０００９】
１  液晶画面
２  液晶画面の上側の行名  あ  を記したプッシュボタン
３  液晶画面の上側の行名  か  を記したプッシュボタン
４  液晶画面の上側の行名  さ  を記したプッシュボタン
５  液晶画面の上側の行名  た  を記したプッシュボタン
６  液晶画面の上側の行名  な  を記したプッシュボタン
７  液晶画面の上側の行名  は  を記したプッシュボタン
８  液晶画面の上側の行名  ま  を記したプッシュボタン
９  液晶画面の上側の行名  や  を記したプッシュボタン
１０  液晶画面の上側の行名  ら  を記したプッシュボタン
１１  液晶画面の上側の行名  わ  を記したプッシュボタン
１２  液晶画面の左側の行番号  １  を記したプッシュボタン
１３  液晶画面の左側の行番号  ２  を記したプッシュボタン
１４  液晶画面の左側の行番号  ３  を記したプッシュボタン
１５  液晶画面の左側の行番号  ４  を記したプッシュボタン
１６  液晶画面の左側の行番号  ５  を記したプッシュボタン
１７  液晶画面の左側の行番号  ６  を記したプッシュボタン
１８  液晶画面の左側の行番号  ７  を記したプッシュボタン
１９  液晶画面の左側の行番号  ８  を記したプッシュボタン
２０  液晶画面の左側の行番号  ９  を記したプッシュボタン
２１  液晶画面の左側の行番号  ０  を記したプッシュボタン
【図１】
0003146482.tif 000003
(57)【要約】      （修正有）【課題】揮発性の高いフェイスマスク用の液体を使用しても、外側からすぐに蒸発することのないビニール付コットンフェイスマスクを提供する。【解決手段】フェイスマスクの外側をビニールで覆うことを特徴とする。これにより液体の蒸発を抑え、液体の無駄な使用量を軽減させることができる。【選択図】図１
0003146481.tif 000002
【実用新案登録請求の範囲】
【請求項１】
浸透力の強い化粧落としが裏面まで達するのを防ぐため外側一面にビニールで覆ったフェイスマスク。
【考案の詳細な説明】
【技術分野】
【０００１】  本考案は主に女性が化粧関係に使用するフェイスマスクに裏側まで液体が浸透し蒸発するのを防ぐため外側をビニールで覆ったフェイスマスク。
【背景技術】
【０００２】  従来はフェイスマスクに化粧水などを染み込ませ顔を覆い使用していた。
【考案の開示】
【考案が解決しようとする課題】
【０００３】  従来の場合、使用する液体は揮発性が高く、外側からすぐに蒸発してしまい液体の無駄が多い。
【課題を解決するための手段】
【０００４】  本考案はあらかじめフェイスマスクの外側をビニールで覆う。
【考案の効果】
【０００５】  フェイスマスクの外側をビニールで覆うことにより液体の蒸発を抑え液体の無駄な使用量を軽減させる。
【実施例】
【０００６】  市販されているフェイスマスクの外側をビニールで覆う。
【図面の簡単な説明】
【０００７】
【図１】
0003146481.tif 000003
【手続補正書】
【提出日】平成20年9月8日(2008.9.8)
【手続補正２】
【補正対象書類名】明細書
【補正対象項目名】０００７
【補正方法】変更
【補正の内容】
【０００７】
【図１】  ａ）正面図  ｂ）断面図
(57)【要約】      （修正有）【課題】外観・内側が軽失禁対応と判りにくい形状のトランクスである事。【解決手段】左右前身頃１，２と同じ生地又は同じ色目の生地で、左右中当布３，４を作り上下で縫い付ければ、中当布と前身頃の間に収納スペースができる。このスペースを内張りするように、公知の軽失禁対応の機能布を縫い付ける事で、外観・内側が軽失禁対応とは判りにくいトランクスにすることができる。ペニスの収納スペースへの出し入れは、左右中当布３，４の間のスリット状の開き部Ｓから行う。【選択図】図２
0003146489.tif 000002
【実用新案登録請求の範囲】
【請求項１】
前開きを有する前身頃の内側に、２枚の当布が前記前開きの位置を中心とし、左右対称に並べられ、上下で縫い付けられている事を特徴とするトランクス。
【考案の詳細な説明】
【技術分野】
【０００１】  本考案は、軽失禁対応でありながら、外観・内部とも、それと判りにくいトランクスに関する。
【背景技術】
【０００２】  従来の軽失禁対応トランクスは、その内側に軽失禁対応の機能を有する布を縫い付けられている。
【考案の開示】
【考案が解決しようとする課題】
【０００３】  しかしそれだと、購入時や排尿時・着脱時・洗濯時等に、他人に軽失禁対応トランクスと気づかれやすく、気恥ずかしい思いをしてしまう。
【課題を解決するための手段】
【０００４】  そこで、通常のトランクスの左右前身頃の内側に、トランクスと同じ生地又は同じ色目の生地を、図１のように上下で縫い付ける事で、中央にスリット状の開きと、トランクス前身頃と内側に縫い付けた生地のパーツ（以下、中当布と記す。）との間にペニスの収納スペースを構成する事ができる。この考案により、スリット状の開きを通して、ペニスのみを収納スペースに収めることができ、収納スペースを内張りするように、公知の軽失禁対応の機能を有する布を取り付ければ、その布は外観も内部からも見えないのである。
【考案の効果】
【０００５】  この考案により、購入時や公共浴場等での着脱時、洗濯時でも軽失禁対応と判りにくいので安心である。使用方法は普通に着用し、排尿時は中当布のスリット状の開きと前身頃の開きの２箇所を通して排尿し、終了時は前身頃の開きから入れて、スリット状の開きからは出さず、収納スペースにおさめておく。比較的単純な使用方法であり、残尿漏れ終了後は中当布のスリット状の開きから取り出せば、通常のトランクスと同じ着用感である。またトランクスの構造自体が有する、通気性や体への締め付け感のなさも、損なわれることはない。収納スペースは、上下はトランクスのゴム下から足口部まで、左右は自由に決められるものの最長両脇までと、大きく確保できるので、ペニスの収納位置を固定させることなく、全方向におさめることができる。さらに中当布は、左右では縫い付けられていないので、洗濯後に溜まりやすい綿ボコリ等のゴミを、取り除き易い。
【考案を実施するための最良の形態】
【０００６】  本考案のトランクスは、従来のトランクスの左右前身頃１，２に左右中当布、３，４を取り付けることで、スリット開き部Ｓと、前身頃と中当布のすき間に収納スペースが構成される。型紙でその形態を表わすと、図１のようになる。軽失禁対応にするためには、左右前身頃１，２内側と、左右中当布３，４内側に、左右中当布と同じ大きさの公知の軽失禁対応機能布を、事前に縫い付けておけばよい。左右中当布３，４の横幅の大きさは、尿漏れの量と範囲を重視するか、収納スペースの小ささや軽さを重視するかで決めれば良いが、ここでは前身頃の半分程度の幅を最良の形態とする。図１で表したパーツは、ウエストゴム５、左右足口６，７、股下縫い部８で縫い付けて完成させると、図２の形になる。
【図面の簡単な説明】
【０００７】
【図１】  中当布を縫い付けた時の、本考案トランクスの前身頃の内側の図である。
【図２】  本考案のトランクスの前内側の図である。
【符号の説明】
【０００８】１  左前身頃
２  右前身頃
３  左中当布
４  右中当布
５  ウエストゴム
６  左足口
７  右足口
８  股下縫い部
Ｓ  スリット開き部
【図１】
0003146489.tif 000003
【図２】
0003146489.tif 000004
(57)【要約】      （修正有）【課題】傾斜地に置くだけで自転車を傾斜と関係無しに直立保持できる、分離型の自転車支持保持具を提供する。【解決手段】自転車を保持する部分１とそれを支持する部分２を分離して、接合ボルト３一本で接合することで接合ボルト３を支点として保持する部分を回転できるようにし、自転車を保持する部分の回転を固定するために、接合ボルト３支点の左右上部に回すことで上下する調整ボルト５を設けた。支点となる接合ボルト３と左右上部の調整ボルト５先端の３点で回転を固定する。【選択図】図１
0003146484.tif 000002
【実用新案登録請求の範囲】
【請求項１】
傾斜地に置くだけで直立固定できる、傾斜調整装置付き、自転車の分離支持保持具。
【考案の詳細な説明】
【技術分野】
【０００１】  本考案は、傾斜地に置くだけで自転車を傾斜と関係無しに直立保持できる、分離型の自転車支持保持具である。
【背景技術】
【０００２】  分離型の自転車支持保持具は、平坦な部分に設置するものが多く、傾斜地に平行に自転車を直立保持するものが無かった。
【考案の開示】
【考案が解決しようとする課題】
【０００３】  本考案は、傾斜地に置くだけで、自転車を傾斜と関係無しに直立保持できる、分離型の自転車支持保持具である。
【課題を解決するための手段】
【０００４】  自転車を保持する部分とそれを支持する部分を分離して、接合ボルト一本で接合することで、接合ボルトを支点として、保持する部分を回転できるようにした。【０００５】  自転車を保持する部分の回転を固定するために、接合ボルト支点の左右上部に上下する調整ボルトを設けた。接合ボルトと左右上部の調整ボルト先端の３点で回転を固定する。【０００６】  自転車を支持する部分のボルト穴を多数設けることで、保持する部分の位置を変えられるようにし、保持する部分からの張り出し寸法を変えられるようにした。
【考案の効果】
【０００７】  敷地で有効利用されていない傾斜地に自転車置き場所を確保することができる。傾斜調整も容易なので使用者が設置できる。
【考案を実施するための最良の形態】
【０００８】  使用者が組み立てられ、ある程度の加工ができるように木製が適している。高強度材を使用して木ネジとボルトで組み立てる。
【実施例】
【０００９】  以下、添付図面に従って一実施例を説明する。１，２，４、７，８は、高強度木材である。１はタイヤを保持する部分。２は支える部分である。３は接合ボルトである。保持する部分１と支える部分２をピン状に接合する。４は、調整板、５は調整ボルト、６は調整ナットである。保持する部分１に取り付けられた調整板４に開けられた２本の穴に調整ボルト５を通し、下の調整ナット６で長さを調整する。２本の調整ボルト５の先端と接合ボルト３の３点で回転を固定する。【００１０】  支える部分２に多数穴を開け、接合ボルト３の位置を変えることで左右の張り出しも自在に調整できる。背面材７，底板材８の幅を変更して、各種タイヤ太さに対応できる。底板材８を前後に移動して、各種タイヤ径に対応できる。
【図面の簡単な説明】
【００１１】
【図１】本考案を傾斜地に設置したところを背面から見た図。
【図２】本考案を平地に設置したところを背面から見た図。
【図３】本考案を横から見た図
【図４】本考案を上から見た図
【符号の説明】
【００１２】  １  保持する部分
２  支える部分
３  接合ボルト
４  調整板
５  調整ボルト
６  調整ナット
７  背面材
８  底板材
【図１】
0003146484.tif 000003
【図２】
0003146484.tif 000004
【図３】
0003146484.tif 000005
【図４】
0003146484.tif 000006